(57)【要約】【課題】装置コストを抑え、普通紙などで黒色インク一色で記録できる部分にはにじみの少ない文字等を高速に記録し、光沢紙などでは色再現範囲の広い高画質記録を行う。【解決手段】記録媒体が普通紙であって、記録ヘッドの走査方向の記録データが黒色データのみで構成されているならば、顔料系黒インクを用いて記録する。【選択図】　　　図５
2004106487.tif 000002
【特許請求の範囲】
【請求項１】
記録データに基づいて記録媒体上にインクを吐出して記録を行うインクジェット記録装置において、
顔料系黒インク吐出用ノズルと染料系インク吐出用ノズルとを有し、当該顔料系黒インク吐出用ノズル数が染料系インク吐出用ノズル数よりも多く設けられた記録ヘッドと、
前記記録媒体の種類を判断する媒体種判断手段と、
前記記録ヘッドの走査方向の記録データが黒色データであるか否かを判断するデータ判断手段と、
前記媒体種判断手段及びデータ判断手段による判断の結果、前記記録媒体が所定の種類であって、前記記録ヘッドの走査方向の記録データが黒色データであるならば、前記顔料系黒インク吐出用ノズルを用いて記録を行う記録制御手段とを具備することを特徴とするインクジェット記録装置。
【請求項２】
前記データ判断手段は、前記記録ヘッドの走査方向の記録データが黒色データであるか否かを１走査ごとに判断することを特徴とする請求項１に記載のインクジェット記録装置。
【請求項３】
前記記録制御手段は、前記記録媒体が所定の種類以外であるならば、前記顔料系黒インク吐出用ノズルの駆動を停止し、前記染料系インク吐出用ノズルを駆動して記録を行うことを特徴とする請求項１又は２に記載のインクジェット記録装置。
【請求項４】
前記記録制御手段は、前記記録媒体が所定の種類であって、前記記録ヘッドの走査方向の記録データに黒色データ以外の他色データを含んでいるならば、前記染料系インク吐出用ノズルと、前記顔料系黒インク吐出用ノズルのうち、当該染料系インク吐出用ノズルと同数のノズルとを駆動して記録を行うことを特徴とする請求項１又は２に記載のインクジェット記録装置。
【請求項５】
前記染料系インク吐出用ノズルは、染料系黒インク吐出用ノズル、染料系シアンインク吐出用ノズル、染料系マゼンダインク吐出用ノズル、及び染料系イエローインク吐出用ノズルを含むことを特徴とする請求項１乃至４のいずれか１項に記載のインクジェット記録装置。
【請求項６】
前記所定の種類の記録媒体は普通紙であることを特徴とする請求項１乃至５のいずれか１項に載のインクジェット記録装置。
【請求項７】
前記記録ヘッドは、熱エネルギーを利用してインクを吐出する記録ヘッドであって、インクに与える熱エネルギーを発生するための熱エネルギー変換体を備えていることを特徴とする請求項１に記載のインクジェット記録装置。
【請求項８】
記録データに基づいて記録媒体上にインクを吐出して記録を行う記録ヘッドを備え、当該記録ヘッドが顔料系黒インク吐出用ノズルと染料系インク吐出用ノズルとを有し、当該顔料系黒インク吐出用ノズル数が染料系インク吐出用ノズル数よりも多く設けられたインクジェット記録装置の制御方法であって、
前記記録媒体の種類を判断する媒体種判断工程と、
前記記録ヘッドの走査方向の記録データが黒色データであるか否かを判断するデータ判断工程と、
前記媒体種判断工程及びデータ判断工程による判断の結果、前記記録媒体が所定の種類であって、前記記録ヘッドの走査方向の記録データが黒色データであるならば、前記顔料系黒インク吐出用ノズルを用いて記録を行う記録制御工程とを備えることを特徴とする制御方法。
【請求項９】
前記データ判断工程では、前記記録ヘッドの走査方向の記録データが黒色データであるか否かを１走査ごとに判断することを特徴とする請求項８に記載の制御方法。
【請求項１０】
前記記録制御工程では、前記記録媒体が所定の種類以外であるならば、前記顔料系黒インク吐出用ノズルの駆動を停止し、前記染料系インク吐出用ノズルを駆動して記録を行うことを特徴とする請求項８又は９に記載の制御方法。
【請求項１１】
前記記録制御工程では、前記記録媒体が所定の種類であって、前記記録ヘッドの走査方向の記録データに黒色データ以外の他色データを含んでいるならば、前記染料系インク吐出用ノズルと、前記顔料系黒インク吐出用ノズルのうち、当該染料系インク吐出用ノズルと同数のノズルとを駆動して記録を行うことを特徴とする請求項８又は９に記載の制御方法。
【請求項１２】
前記染料系インク吐出用ノズルは、染料系黒インク吐出用ノズル、染料系シアンインク吐出用ノズル、染料系マゼンダインク吐出用ノズル、及び染料系イエローインク吐出用ノズルを含むことを特徴とする請求項８乃至１１のいずれか１項に記載の制御方法。
【請求項１３】
前記所定の種類の記録媒体は普通紙であることを特徴とする請求項８乃至１２のいずれか１項に載の制御方法。
【請求項１４】
前記記録ヘッドは、熱エネルギーを利用してインクを吐出する記録ヘッドであって、インクに与える熱エネルギーを発生するための熱エネルギー変換体を備えていることを特徴とする請求項８に記載の制御方法。
【請求項１５】
請求項８乃至１４のいずれか１項に記載のインクジェット記録装置の制御方法を実行する機能を実現させるためのプログラム。
【発明の詳細な説明】
【０００１】
【発明の属する技術分野】
本発明はインクジェット記録装置に関し、特に顔料系インクと染料系インクとを１走査分の記録データに応じて使い分けて記録するインクジェット記録装置及びその制御方法に関する。
【０００２】
【従来の技術】
昨今のインクジェットプリンタにおいてはインターネットやデジタルカメラなどの普及に伴い、インターネット上のホームページやデジタルカメラで撮影した画像データを記録する機会が増えている。
【０００３】
ところが、高画質かつ高速での記録が可能なプリンタを実現するためには、記録ヘッドのインクを吐出するノズル数を増加させる必要があるため、高コスト化を引き起こしてしまう。
【０００４】
そこで、黒色インクに対応した記録ヘッドのノズル数を他色（シアン、マゼンダ、イエロー）のインクに対応した記録ヘッドのノズル数よりも多くして、ホームページにおける文字等の黒色インク一色で記録できる部分は高速に記録し、カラー画像データなどの記録時には使用する黒色インクのノズル数を他色のノズル数に合わせて記録するようにしてコストの削減を図っている。
【０００５】
また、この種のプリンタでは、普通紙における黒文字等の高速記録を主眼においているため、黒色インクとしては記録媒体へのにじみが少ない顔料系黒インクが用いられることが多い。
【０００６】
しかしながら、顔料系黒インクは光沢層および／またはインク受容層を有する記録媒体への定着性が悪いため、デジタルカメラ等で撮影されたカラー画像を記録媒体へ記録する場合には顔料系黒インクを使わずに染料系のシアン、マゼンタ、イエローの３色のインクのみを用いて記録されている。
【０００７】
しかしながら、上記３色のインクでカラー画像を生成する場合には、黒色インクを用いないため黒色の濃度が上がらず、また記録媒体上のインクの受容量にも制限があるため、黒色インクを含めた４色でカラー画像を生成する場合と比較して色再現範囲が制限されるという欠点があった。
【０００８】
そこで、黒顔料を着色剤として含んでなるインク組成物と、黒染料を着色剤として含んでなるインク組成物とを用意し、記録媒体が光沢層および／またはインク受容層を有する記録媒体であるときには、黒染料を着色剤として含んでなるインク組成物のみを前記記録媒体に記録し、記録媒体が普通紙であるときには、黒顔料を着色剤として含んでなるインク組成物と、黒染料を着色剤として含んでなるインク組成物とを重ねて記録することにより、普通紙においては黒色の濃度をより高くし、かつ光沢層および／またはインク受容層を有する記録媒体においては彩度が高く、色再現範囲の良好な画質を得る方法が開示されている（特許文献１参照）。
【０００９】
【特許文献１】
特開平１１―１６４７号公報
【発明が解決しようとする課題】
しかしながら、黒色インク一色での記録を高速化するために、黒色インクを吐出するノズルを他色インクを吐出するノズルよりも多くした上記構成を採用し、かつ特許文献１で提案される方法により普通紙および光沢紙において高画質の記録結果を得ようとした場合、黒顔料に対応したノズル数と同数のノズルを持つ黒染料に対応した記録ヘッドを構成せねばならず、黒色に対して顔料系と染料系の２色分の記録ヘッドを用意するのみならず、黒顔料および黒染料のノズル数を他色のノズル数よりも多くしなければならず、従来の記録ヘッドの構成と比較してコストがかさむという欠点があった。
【００１０】
本発明は、上記従来の問題点に鑑みてなされたものであり、その目的は、装置コストを抑え、普通紙などで黒色インク一色で記録できる部分にはにじみの少ない文字等を高速に記録し、かつ光沢紙などでは色再現範囲の広い高画質記録ができるコストパフォーマンスの高いインクジェット記録装置及びその制御方法を提供することである。
【００１１】
【課題を解決するための手段】
上述の課題を解決し、目的を達成するために、本発明のインクジェット記録装置は、記録データに基づいて記録媒体上にインクを吐出して記録を行うインクジェット記録装置において、顔料系黒インク吐出用ノズルと染料系インク吐出用ノズルとを有し、当該顔料系黒インク吐出用ノズル数が染料系インク吐出用ノズル数よりも多く設けられた記録ヘッドと、前記記録媒体の種類を判断する媒体種判断手段と、前記記録ヘッドの走査方向の記録データが黒色データであるか否かを判断するデータ判断手段と、前記媒体種判断手段及びデータ判断手段による判断の結果、前記記録媒体が所定の種類であって、前記記録ヘッドの走査方向の記録データが黒色データであるならば、前記顔料系黒インク吐出用ノズルを用いて記録を行う記録制御手段とを具備する。
【００１２】
本発明のインクジェット記録装置の制御方法は、記録データに基づいて記録媒体上にインクを吐出して記録を行う記録ヘッドを備え、当該記録ヘッドが顔料系黒インク吐出用ノズルと染料系インク吐出用ノズルとを有し、当該顔料系黒インク吐出用ノズル数が染料系インク吐出用ノズル数よりも多く設けられたインクジェット記録装置の制御方法であって、前記記録媒体の種類を判断する媒体種判断工程と、前記記録ヘッドの走査方向の記録データが黒色データであるか否かを判断するデータ判断工程と、前記媒体種判断工程及びデータ判断工程による判断の結果、前記記録媒体が所定の種類であって、前記記録ヘッドの走査方向の記録データが黒色データであるならば、前記顔料系黒インク吐出用ノズルを用いて記録を行う記録制御工程とを備える。
【００１３】
また、好ましくは、上記いずれかの装置及び方法において、前記データ判断手段（工程で）は、前記記録ヘッドの走査方向の記録データが黒色データであるか否かを１走査ごとに判断する。
【００１４】
また、好ましくは、上記いずれかの装置及び方法において、前記記録制御手段（工程で）は、前記記録媒体が所定の種類以外であるならば、前記顔料系黒インク吐出用ノズルの駆動を停止し、前記染料系インク吐出用ノズルを駆動して記録を行う。
【００１５】
また、好ましくは、上記いずれかの装置及び方法において、前記記録制御手段（工程で）は、前記記録媒体が所定の種類であって、前記記録ヘッドの走査方向の記録データに黒色データ以外の他色データを含んでいるならば、前記染料系インク吐出用ノズルと、前記顔料系黒インク吐出用ノズルのうち、当該染料系インク吐出用ノズルと同数のノズルとを駆動して記録を行う。
【００１６】
また、好ましくは、上記いずれかの装置及び方法において、前記染料系インク吐出用ノズルは、染料系黒インク吐出用ノズル、染料系シアンインク吐出用ノズル、染料系マゼンダインク吐出用ノズル、及び染料系イエローインク吐出用ノズルを含む。
【００１７】
また、好ましくは、上記いずれかの装置及び方法において、前記所定の種類の記録媒体は普通紙である。
【００１８】
また、好ましくは、上記いずれかの装置及び方法において、前記記録ヘッドは、熱エネルギーを利用してインクを吐出する記録ヘッドであって、インクに与える熱エネルギーを発生するための熱エネルギー変換体を備えている。
【００１９】
尚、本発明は、上記いずれかのインクジェット記録装置の制御方法を装置自体や外部装置のコンピュータに実行させるためのプログラムの形態や当該プログラムを記憶したコンピュータ読み取り可能な記憶媒体の形態にも適用できる。
【００２０】
【発明の実施の形態】
以下、本発明の実施の形態について添付図面を参照して詳細に説明する。
【００２１】
＜装置本体の概略説明＞
図１は、本発明の代表的な実施の形態であるインクジェットプリンタＩＪＲＡの構成の概要を示す外観斜視図である。
【００２２】
図１において、キャリッジＨＣはピン（不図示）を有し、駆動モータ１３の正逆回転に連動して駆動力伝達ギア９，１１を介して回転するリードスクリュー５の螺旋溝４に対して係合して矢印ａ，ｂ方向（主走査方向）に往復移動される。このキャリッジＨＣには、インクジェットカートリッジＩＪＣが搭載されている。２は紙押え板であり、キャリッジの移動方向に亘って記録媒体Ｐをプラテン１に対して押圧する。
【００２３】
記録媒体Ｐは普通紙や光沢紙（コート紙）であり、プラテン１と搬送ローラ（不図示）とに挟持されて主走査方向と直交する矢印ｃ方向（副走査方向）に往復移動される。
【００２４】
７，８はフォトカプラで、キャリッジのレバー６のこの域での存在を確認して、駆動モータ１３の回転方向切り換え等を行うためのホームポジション検知手段である。１６は記録ヘッドＩＪＨの前面をキャップするキャップ部材２２を支持する部材で、１５はこのキャップ内を吸引する吸引手段で、キャップ内開口２３を介して記録ヘッドの吸引回復を行う。１７はクリーニングブレードで、１９はこのブレード１７を前後方向に移動可能にする部材であり、本体支持板１８にこれらが支持されている。ブレード１７は、この形態でなく周知のクリーニングブレードが本例に適用できることは言うまでもない。又、１２は、吸引回復の吸引を開始するためのレバーで、キャリッジと係合するカム２０の移動に伴って移動し、駆動モータからの駆動力がクラッチ切り換え等の公知の伝達手段で移動制御される。
【００２５】
これらのキャッピング、クリーニング、吸引回復は、キャリッジがホームポジション側の領域に来た時にリードスクリュー５の作用によってそれらの対応位置で所望の処理が行えるように構成されているが、周知のタイミングで所望の作動を行うようにすれば、本例にはいずれも適用できる。
【００２６】
＜制御構成の説明＞
次に、上述した装置の記録制御を実行するための制御構成について説明する。図２はインクジェットプリンタＩＪＲＡの制御回路の構成を示すブロック図である。
【００２７】
制御回路を示す同図において、３０は記録信号を入力するインタフェース、３１はＭＰＵ、３２はＭＰＵ３１が実行する制御プログラムを格納するプログラムＲＯＭ、３３は各種データ（上記記録信号やヘッドに供給される記録データ等）を保存しておくダイナミック型のＲＡＭである。３４は記録ヘッドＩＪＨに対する記録データの供給制御を行うゲートアレイであり、インタフェース３０、ＭＰＵ３１、ＲＡＭ３３間のデータ転送制御も行う。４０は記録ヘッドＩＪＨを搬送するためのキャリアモータ、３９は記録媒体搬送のための搬送モータである。３５はヘッドを駆動するヘッドドライバ、３６，３７はそれぞれ搬送モータ３９、キャリアモータ４０を駆動するためのモータドライバである。
【００２８】
上記制御構成の動作を説明すると、インタフェース３０に記録信号が入るとゲートアレイ３４とＭＰＵ３１との間で記録信号がプリント用の記録データに変換される。そして、モータドライバ３６、３７が駆動されると共に、ヘッドドライバ３５に送られた記録データに従って記録ヘッドが駆動され、記録ヘッドと記録媒体とが相対的に移動されて記録が行われる。
【００２９】
図３は、本発明に係る実施形態のインクジェットプリンタの機能ブロック図である。
【００３０】
図３に示すように、記録媒体設定部４１は、記録に際して記録すべき記録媒体の種類（紙種）をプリンタドライバのユーザーインタフェース等で設定するための機能を有する。
【００３１】
また、黒色記録データ判断部４２は、図４に示すノズル構成を持つ記録ヘッドにおいて、記録データに基づいて主走査方向に１スキャンごとに記録すべきデータが黒色記録データだけで構成されているか否かを判断する機能を有する。
【００３２】
ヘッド駆動方法決定部４３は、記録ヘッドＩＪＨを主走査方向にスキャンして記録を行うときの各ノズルの駆動方法を決定する機能を有する。
【００３３】
記録ヘッド駆動部４４は、ヘッド駆動方法決定部４３により決定された駆動方法により記録ヘッドＩＪＨを駆動する。
【００３４】
図５は、本実施形態の記録制御方法を説明するフローチャートである。
【００３５】
図５において、ヘッド駆動方法決定部４３は、取得した紙種データから（ステップＳ１）、記録媒体設定部４１により設定された記録媒体が普通紙か否かを判断する（ステップＳ２）。
【００３６】
記録媒体設定部４１により設定された記録媒体が普通紙以外であれば（ステップＳ２でＮＯ）、記録ヘッド駆動部４４は、染料系黒インク及び染料系他色インクを用いて記録を行うべく、黒色記録データ判断部４２の判断結果に関わらず、図４の染料系黒インク吐出用ノズル５２と染料系他色インク吐出用ノズル５３〜５５とを駆動可能として記録を行う（ステップＳ７）。
【００３７】
一方、記録媒体設定部４１により設定された記録媒体が普通紙ならば（ステップＳ２でＹＥＳ）、ヘッド駆動方法決定部４３は、黒色記録データ判断部４２の判断結果から主走査方向の１スキャン分の記録データが黒色記録データのみか否かを判断する（ステップＳ３）。
【００３８】
上記ステップＳ３で主走査方向の１スキャン分の記録データが黒色記録データのみと判断されたならば（ステップＳ３でＹＥＳ）、記録ヘッド駆動部４４は、顔料系黒インクのみを用いて記録を行うべく、顔料系黒インク吐出用ノズル５１のみを全て駆動可能として記録を行う（ステップＳ４）。
【００３９】
また、記録媒体設定部４１により設定された記録媒体が普通紙であり（ステップＳ２でＹＥＳ）、かつ黒色記録データ判断部４２の判断結果から他色記録データが含まれると判断されたならば（ステップＳ３でＮＯ）、記録ヘッド駆動部４４は、顔料系黒インク及び染料系他色インクを用いて記録を行うべく、染料系他色インク吐出用ノズル５３〜５５と、顔料系黒インク吐出用ノズル５１のうち染料系黒インク吐出用ノズル５２又は染料系他色インク吐出用ノズル５３〜５５と同数のノズル５１ａだけを駆動可能として記録を行う（ステップＳ５）。
【００４０】
上記記録制御を記録データの記録が終了するまで繰返すことで、普通紙上に黒色インク一色で記録できる部分には顔料系黒インクでにじみの少ない黒（モノクロ）文字等を高速に記録でき、また、普通紙以外の光沢紙等への記録の際には染料系インクを用いて色再現範囲の広い高画質記録を行うことができる。
【００４１】
図４は記録ヘッドのノズル構成を示す模式図である。
【００４２】
図４に示すように、記録ヘッドＩＪＨは、顔料系黒インク吐出用ノズル５１と、染料系黒インク吐出用ノズル５２と、染料系シアンインク吐出用ノズル５３と、染料系マゼンダインク吐出用ノズル５４と、染料系イエローインク吐出用ノズル５５とを有し、各色ごとにノズルが副走査方向に複数配列されている。
【００４３】
顔料系黒インク吐出用ノズル５１のノズル数は、染料系黒インク吐出用ノズル５２、染料系シアンインク吐出用ノズル５３、染料系マゼンダインク吐出用ノズル５４、及び染料系イエローインク吐出用ノズル５５より多いノズル数で構成され、換言すれば、顔料系黒インク吐出用ノズル５１のノズル数は染料系黒インク吐出用ノズル５２や染料系他色インク吐出ノズル５３〜５５よりも多いノズル数で構成されている。
【００４４】
また、染料系黒インク吐出用ノズル５２と染料系他色インク吐出ノズル５３〜５５のノズル数は同数に構成されている。
【００４５】
上記実施形態によれば、普通紙に対して黒色インク一色で記録を行う場合には、普通紙以外の光沢紙などに黒色或いは他色の染料系インクを用いて記録する場合よりも高速に記録ができる。
【００４６】
尚、本実施形態においては、記録媒体設定部４１はプリンタドライバにおいてユーザーがユーザーインタフェースを介して設定する構成を例示したが、記録媒体の種類を設定できるものであればこれに限定されない。例えば、プリンタ本体上にセンサ或いはスイッチを設け、このスイッチ又はセンサにより記録媒体の種類が設定できる構成でもよい。
【００４７】
また、記録ヘッドのノズル構成は、顔料系黒インクと、染料系の黒、シアン、マゼンタ、イエローの５色のインクのインク吐出用ノズルを有するものを例示したが、更に淡シアン、淡マゼンタ等の中間色インク吐出用ノズルを追加構成してもよい。
【００４８】
また、顔料系インクとして黒色インクのみを例示したが、他の顔料系モノクロインクでも適用できる。
【００４９】
なお、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００５０】
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００５１】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００５２】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００５３】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００５４】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００５５】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【００５６】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００５７】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００５８】
加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００５９】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【００６０】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００６１】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６３】
本発明を上記記憶媒体に適用する場合、その記憶媒体には、先に説明した図５に示すフローチャートに対応するプログラムコードや各種テーブルが格納されることになる。
【００６４】
【発明の効果】
以上説明したように、本発明によれば、顔料系黒インク吐出用ノズルと染料系インク吐出用ノズルとを有し、顔料系黒インク吐出用ノズル数が染料系インク吐出用ノズル数よりも多く設けられた記録ヘッドを用いて、記録媒体が、例えば普通紙であって、記録ヘッドの走査方向の記録データが黒色データであるならば、顔料系黒インクで記録を行うので、装置コストを抑え、普通紙などの黒色インク一色で記録できる部分にはにじみの少ない文字等を高速に記録し、光沢紙などでは色再現範囲の広い高画質記録ができ、高いコストパフォーマンスを得ることができる。
【図面の簡単な説明】
【図１】本発明の代表的な実施の形態であるインクジェットプリンタＩＪＲＡの構成の概要を示す外観斜視図である。
【図２】インクジェットプリンタＩＪＲＡの制御回路の構成を示すブロック図である。
【図３】本発明に係る実施形態のインクジェット記録装置の機能ブロック図である。
【図４】記録ヘッドのノズル構成を示す模式図である。
【図５】本実施形態の記録制御方法を説明するフローチャートである。
【符号の説明】
４１　記録媒体設定部
４２　黒色記録データ判断部
４３　ヘッド駆動方法決定部
４４　記録ヘッド駆動部
５１　顔料系黒インク吐出用ノズル
５２　染料系黒インク吐出用ノズル
５３　染料系シアンインク吐出用ノズル
５４　染料系マゼンダインク吐出用ノズル
５５　染料系イエローインク吐出用ノズル
ＩＪＨ　記録ヘッド
【図１】
2004106487.tif 000003
【図２】
2004106487.tif 000004
【図３】
2004106487.tif 000005
【図４】
2004106487.tif 000006
【図５】
2004106487.tif 000007